(57)【要約】【課題】遊技者に対する興趣を向上させる演出を実行可能なパチンコ遊技機を提供する。【解決手段】発射された遊技球が案内されて流下する遊技領域と、前記遊技領域の全体を覆うよう配置され、２枚の透明カバー間に隙間を有する構成の二重透明カバーと、前記二重透明カバーの隙間に有色半透明な液体を注入する液体注入部と、前記二重透明カバーの隙間から前記液体を排出させる液体排出部と、を備え、前記遊技領域には、前記二重透明カバーの隙間に前記液体が満たされた状態では遊技者が視認不能になる画像が表示されているパチンコ遊技機を採用する。【選択図】図３
2017042368.tif 000002
【特許請求の範囲】
【請求項１】
発射された遊技球が案内されて流下する遊技領域と、
前記遊技領域の全体を覆うよう配置され、２枚の透明カバー間に隙間を有する構成の二重透明カバーと、
前記二重透明カバーの隙間に有色半透明な液体を注入する液体注入部と、
前記二重透明カバーの隙間から前記液体を排出させる液体排出部と、を備え、
前記遊技領域には、前記二重透明カバーの隙間に前記液体が満たされた状態では遊技者が視認不能になる画像が表示されている
パチンコ遊技機。
【請求項２】
前記液体注入部は、前記液体排出部よりも重力方向の上に位置しており、
前記液体排出部から排出された液体を前記液体注入部に押し上げるポンプをさらに備える
請求項１に記載のパチンコ遊技機。
【請求項３】
前記液体排出部は、所定の遊技状態に移行したときに前記二重透明カバーの隙間に満たされた前記液体を排出する
請求項１に記載のパチンコ遊技機。
【発明の詳細な説明】
【技術分野】
【０００１】
本発明の一態様は、パチンコ遊技機に関する。
【背景技術】
【０００２】
従来から、パチンコ遊技機は、発射された遊技球が流れ落ちる遊技領域を備えており、遊技者の興趣を向上させるために遊技領域に様々な装飾がなされている。例えば特許文献１には、このようなパチンコ遊技機について開示されている。
【先行技術文献】
【特許文献】
【０００３】
【特許文献１】特開２０１５−３１６３号公報
【発明の概要】
【発明が解決しようとする課題】
【０００４】
上記のような従来のパチンコ遊技機では、遊技領域に可動物を配置したり、表示装置を配置したりしたものは多かったが、さらに遊技者の興趣を向上させるための構成が求められていた。
【課題を解決するための手段】
【０００５】
本発明は、上記課題を解決するために次のような手段を採る。なお、以下の説明において、発明の理解を容易にするために図面中の符号等を括弧書きで付記するが、本発明の各構成要素はこれらの付記したものに限定されるものではなく、当業者が技術的に理解しうる範囲にまで広く解釈されるべきものである。
【０００６】
本発明の一の手段は、
発射された遊技球が案内されて流下する遊技領域（１）と、
前記遊技領域の全体を覆うよう配置され、２枚の透明カバー間に隙間を有する構成の二重透明カバー（二重ガラス２）と、
前記二重透明カバーの隙間に有色半透明な液体を注入する液体注入部（液体注入用タンク６）と、
前記二重透明カバーの隙間から前記液体を排出させる液体排出部（液体回収用タンク４）と、を備え、
前記遊技領域には、前記二重透明カバーの隙間に前記液体が満たされた状態では遊技者が視認不能になる画像（第２絵柄１２）が表示されている
パチンコ遊技機である。
【０００７】
上記構成のパチンコ遊技機によれば、二重透明カバーに有色半透明の液体を満たすか否かにより遊技者が視認できる遊技領域上の画像が異なる。これにより、液体を利用した大当り演出などが可能になり、遊技者に対する興趣を向上させることが可能となる。
【０００８】
上記パチンコ遊技機において、好ましくは、
前記液体注入部（液体注入用タンク６）は、前記液体排出部（液体回収用タンク４）よりも重力方向の上に位置しており、
前記液体排出部から排出された液体を前記液体注入部に押し上げるポンプ（６）をさらに備える。
【０００９】
上記構成のパチンコ遊技機によれば、二重透明カバーに満たされた液体をスムーズに排出可能な構成とすることができる。また、二重透明カバーの隙間にスムーズに液体を充填可能な構成とすることができる。
【００１０】
上記パチンコ遊技機において、好ましくは、
前記液体排出部（液体回収用タンク４）は、所定の遊技状態に移行したときに前記二重透明カバーの隙間に満たされた前記液体を排出する。
【００１１】
上記構成のパチンコ遊技機によれば、例えば大当り状態を演出するために遊技領域に描かれた画像（絵柄）を利用することが可能となり、遊技者に対する興趣をさらに向上させることが可能となる。
【図面の簡単な説明】
【００１２】
【図１】通常状態のパチンコ遊技機の構成を示す図。
【図２】第１の大当り状態のパチンコ遊技機の構成を示す図。
【図３】第２の大当り状態のパチンコ遊技機の構成を示す図。
【発明を実施するための形態】
【００１３】
本発明に係る実施形態について、以下の構成に従って図面を参照しながら具体的に説明する。ただし、以下で説明する実施形態はあくまで本発明の一例にすぎず、本発明の技術的範囲を限定的に解釈させるものではない。なお、各図面において、同一の構成要素には同一の符号を付しており、その説明を省略する場合がある。
１．実施形態
（１）パチンコ遊技機の構成例
（２）動作例
２．補足事項
【００１４】
＜１．実施形態＞
本実施形態のパチンコ遊技機は、遊技領域を覆う二重ガラスの隙間に液体を充填可能に構成されており、この隙間への液体の充填状態によって遊技者が視認できる遊技領域上の絵柄を変化させることができるよう構成されている点に特徴がある。以下、本実施形態のパチンコ遊技機について、図面を参照しながら具体的に説明する。
【００１５】
＜（１）パチンコ遊技機の構成例＞
図１には、本実施形態のパチンコ遊技機の構成を示す図である。図１に示されるパチンコ遊技機は、後述の大当り状態に対する通常状態である。図１に示されるように、本実施形態のパチンコ遊技機は、遊技領域１、二重ガラス２、有色半透明液体３、液体回収用タンク４、ポンプ５、液体注入用タンク６、開閉弁７、操作レバー２１、及び遊技球用上皿２２を含んで構成される。また、本実施形態のパチンコ遊技機は、各部の動作を制御する制御部（図示せず）を備える。さらに、本実施形態のパチンコ遊技機は、一般的なパチンコ遊技機が備える構成として、例えば、本体から払い出された遊技球及び遊技者により投入された遊技球を貯留する貯留部、本体から払い出された遊技球を貯留部へ流入させる流入口、などの構成を備える。
【００１６】
＜遊技領域１＞
遊技領域１は、遊技者の操作により発射された遊技球が案内され流下する領域であって、パチンコ遊技機の中央部を含む位置に配置される。遊技領域１には、種々の模様、絵柄、及び文字などの画像、並びに装飾物などが配置される。また、遊技領域１には、遊技球が流入する流入口が複数形成され、流入口に遊技球が流入した際には、制御部がこれを検知して種々の処理を行う。また、遊技領域１には、遊技球の動きに変化を与える釘などが配置される。
【００１７】
また、遊技領域１には、図１〜図３に示されるような第１絵柄１１、及び図２及び図３に示されるような第２図柄１２などが描画されている。また、遊技領域１は、後述の二重ガラス２によりその前面が覆われる。
【００１８】
＜二重ガラス２＞
二重ガラス２は、前述のように遊技領域１の全体を覆うように配置されており、２枚のガラスが隙間を持って重ねられて構成される。二重ガラス２のガラスの隙間は１ｍｍ程度の厚みになっているが、安定的な隙間を維持できる厚みであれば１ｍｍ未満の厚みとしてもよい。二重ガラス２の隙間には液体が充填可能になっており、液体注入用タンク６と開閉弁７の動作により液体が注入され、液体回収用タンク４の動作により液体が排出される。なお、本実施形態では二重ガラス２を例に挙げて説明しているが、ガラスに代えてアクリル板などを利用した二重構造のアクリル板などの構成であってもよい。すなわち、二重ガラス２は、隙間を備える透明または半透明な板状形成物により置き換えられてもよい。つまり、二重ガラス２は、本発明における二重透明カバーの一例である。
【００１９】
＜有色半透明液体３＞
有色半透明液体３は、図１に示されるように、この時点では二重ガラス２の隙間に充填されて配置される。有色半透明液体３は、二重ガラス２の隙間、液体回収用タンク４、もしくは液体注入用タンク６、またはこれらの接続する配管を移動可能である。有色半透明液体３は、所定の色を備える半透明な液体である。有色半透明液体３の色は、後述の第２絵柄１２の色と同様の色、またはこの色と重ねられることで第２絵柄１２が遊技者により判別不能になる色になっている。なお、有色半透明液体３は、必ずしも完全な液体である必要はなく、流動性のあるジェル状材料であってもよく、本発明における液体はこのような材料をも含む趣旨である。ただし、有色半透明液体３が流動性の高い純粋な液体であれば、二重ガラス２への注入及び二重ガラス２からの排出がスムーズになるため好ましい。つまり、本発明において液体とは、純粋な液体だけを指すものではなく、ジェル状材料または液体に別の材料を付加したようなものをも含む。
【００２０】
＜液体回収用タンク４＞
液体回収用タンク４は、制御部（図示せず）の制御により、二重ガラス２を満たしている有色半透明液体３の排出を制御するとともに、有色半透明液体３を保持するよう構成される。液体回収用タンク４は、内部に弁または開閉部を備えており、この弁または開閉部が制御部により開閉されることで、二重ガラス２に充填された有色半透明液体３を回収する。液体回収用タンク４は、有色半透明液体３を効率的に吸収するための液体吸収構造を備えてもよい。液体回収用タンク４は、本発明における液体排出部の一例である。
【００２１】
＜ポンプ５＞
ポンプ５は、制御部（図示せず）の制御により、液体回収用タンク４に回収された（収容された）有色半透明液体３を吸い上げ、液体注入用タンク６にこの有色半透明液体３を押し上げるよう構成される。ポンプ５は、液体回収用タンク４に回収された有色半透明液体３に対しては吸引力を発生することで吸い上げ、吸い上げた有色半透明液体３に対して押し出す力を与えることで、この液体を液体注入用タンク６に収容させる。
【００２２】
＜液体注入用タンク６＞
液体注入用タンク６は、制御部（図示せず）の制御により、ポンプ５から押し上げられた有色半透明液体３をさらに吸い上げて収容し、収容している有色半透明液体３を二重ガラス２の隙間に供給するよう構成される。二重ガラス２の隙間に対する有色半透明液体３の供給は、液体注入用タンク６及び開閉弁７の動作により行われる。なお、液体注入用タンク６は、本発明の液体注入部の一例である。
【００２３】
＜開閉弁７＞
開閉弁７は、制御部（図示せず）の制御により、液体注入用タンク６から二重ガラス２に対して、有色半透明液体３を供給するために配置される。すなわち、開閉弁７が閉じた状態であるときは、液体注入用タンク６から有色半透明液体３が排出されたとしても二重ガラス２の隙間には供給されず、開閉弁７が開いた状態にあるとき、液体注入用タンク６から供給されてきた有色半透明液体３を二重ガラス２の隙間に供給することとなる。なお、開閉弁７は、液体注入用タンク６と一体的構成となっていてもよい。
【００２４】
＜第１絵柄１１＞
第１絵柄１１は、遊技領域１に描画された任意の絵柄であって、二重ガラス２の隙間に有色半透明液体３が充填された状態でも遊技者に視認可能な色で形成される。なお、第１絵柄１１は、イラストや模様などの所謂絵柄だけではなく、文字その他の画像などをも含む。
【００２５】
＜第２絵柄１２＞
第２絵柄１２は、図２及び図３で後述するように、第１絵柄１１同様、遊技領域１に描画された任意の絵柄である。一方、第２絵柄１２は、第１絵柄１１とは異なり、二重ガラス２の隙間に有色半透明液体３が充填された状態では遊技者に視認不能な色で形成される。なお、第２絵柄１２は、イラストや模様などの所謂絵柄だけではなく、文字その他の画像などをも含む。
【００２６】
＜操作レバー２１＞
操作レバー２１は、図１に示されるようにパチンコ遊技機の右下付近に配置された遊技者によって操作可能に構成されたレバーであって、遊技者による操作に応じて遊技球を遊技領域に流入するよう制御する。
【００２７】
＜遊技球用上皿２２＞
遊技球用上皿２２は、図１に示されるようにパチンコ遊技機における遊技領域の下側に配置された遊技球を受ける皿状構成であって、遊技球をパチンコ遊技機の本体側に供給する供給口（図示せず）を有する構成である。
【００２８】
＜（２）動作例＞
次に、図１〜図３を参照しながら、本実施形態のパチンコ遊技機における動作例について説明する。
【００２９】
図１は、通常状態におけるパチンコ遊技機の構成を示す図である。図２及び図３は、お大当り状態におけるパチンコ遊技機の構成を示す図である。パチンコ遊技機が通常状態から大当り状態へと変化すると、図１の状態から図２の状態を経て、図３の状態へと変化する。
【００３０】
図１に示されるように、大当り状態ではない通常状態のパチンコ遊技機の遊技領域１では、既に説明したように第１絵柄１１が遊技者により視認可能になっているが、第２絵柄１２は視認不能になっている。すなわち、二重ガラス２には有色半透明液体３が充填されており、これにより第２絵柄１２が視認不能になっている。
【００３１】
この図１の状態において遊技状態が通常状態から大当り状態へと変化すると、パチンコ遊技機が図２の状態へと変化する。具体的には、パチンコ遊技機の制御部（図示せず）は、液体回収用タンク４を制御して、二重ガラス２に充填された有色半透明液体３を回収する。より具体的には、液体回収用タンク４が、その液体回収口に設置された弁を開放し、これにより二重ガラス２に充填された有色半透明液体３が、重力方向の下方向に位置する液体回収用タンク４に回収される。これにより、図２に示されるように有色半透明液体３が液体回収用タンク４に保持（収容）された状態となる。一方、遊技領域１は、その前面を覆うよう配置された二重ガラス２に充填されていた有色半透明液体３が無くなり、これにより、有色半透明液体３により隠されていた第２絵柄１２が、遊技者により視認可能な状態となっている。
【００３２】
さらに、上記図２に示された状態の後、遊技状態が大当り状態から通常状態へと変化したときに有色半透明液体３を再度二重ガラス２に速やかに充填可能な状態とするため、有色半透明液体３が液体注入用タンク６により保持（収容）された状態にする。具体的には、パチンコ遊技機の制御部（図示せず）は、ポンプ５を動作させ、液体回収用タンク４に保持された有色半透明液体３を吸い上げる。さらに、制御部は、ポンプ５、及び必要に応じて液体注入用タンク６を動作させ、有色半透明液体３をさらに吸い上げ（押し上げ）、有色半透明液体３を液体注入用タンク６に保持された状態とする。このとき、開閉弁７は閉状態へとなっており、液体注入用タンク６に保持された有色半透明液体３が流出しない状態になっている。なお、遊技領域１による表示状態には変化はなく、遊技者はこの有色半透明液体３が移動したことを認識することはない。
【００３３】
この図３に示された大当り状態から、通常状態へと変化すると、パチンコ遊技機の制御部（図示せず）は、液体注入用タンク６に保持（収容）された有色半透明液体３の流出を防いでいる開閉弁７を開放状態へとし、これにより有色半透明液体３を二重ガラス２に充填していく。これにより、図１に示されるように、二重ガラス２には有色半透明液体３が充填され、遊技領域１の第２絵柄１２は遊技者により視認不能な状態になる。
【００３４】
上記のような動作を実行可能な構成のパチンコ遊技機によれば、二重ガラス２に有色半透明液体３が充填された状態か否かにより、遊技領域１に描画された第２絵柄１２の視認状態を変化させることができる。これにより、パチンコ遊技機において、有色半透明液体３を利用した大当り演出などを実行可能となり、遊技者に対する興趣をさらに向上させることができる。
【００３５】
＜２．補足事項＞
以上、本発明の実施形態についての具体的な説明を行った。上記説明は、あくまで一実施形態としての説明であって、本発明の範囲はこの一実施形態に留まらず、当業者が把握可能な範囲にまで広く解釈されるものである。
【００３６】
上記実施形態では、ポンプ５及び液体注入用タンク６により有色半透明液体３を吸い上げる（押し上げる）構成としたが、必ずしもこのような構成とする必要はなく、回収された液体を重力方向の上方向に持ち上げる別の構成に置き換えてもよい。
【００３７】
また、上記実施形態では、遊技領域１の下方に有色半透明液体３を排出することで有色半透明液体３を回収し、遊技領域１の上方から有色半透明液体３を注入する構成としたが、この構成に限定されるものではない。すなわち、有色半透明液体３を重力方向の上方から吸い上げることで回収する構成としてもよい。また、重力方向の下方に排出された有色半透明液体３を、下方から二重ガラス２に充填していく構成としてもよい。ただし、上記本実施形態のような構成では、比較的シンプルで、速やかに有色半透明液体３を充填可能な構成とすることができるため好ましい。
【００３８】
また、上記実施形態では、大当り状態のときに第２絵柄１２が遊技者により視認可能な状態となったが、大当り状態ではない別の特定状態のときに第２絵柄１２が遊技者により視認可能な状態となる構成としてもよい。
【００３９】
また、上記実施形態では、二重ガラス２に充填された有色半透明液体３により第２絵柄１２が視認不能になる例について説明したが、視認不能になる代わりに、視認される絵柄が変化するような構成であってもよい。
【００４０】
また、上記実施形態では、二重ガラス２は透明カバーと置換可能であると説明したが、これらの二重ガラス２または透明カバーは、完全に透明な材料である必要はなく、有色半透明な材料により形成されていてもよい。
【産業上の利用可能性】
【００４１】
本発明は、遊技者の興趣を向上させる演出を実行可能なパチンコ遊技機などとして適用可能である。
【符号の説明】
【００４２】
１…遊技領域
２…二重ガラス
３…有色半透明液体
４…液体回収用タンク
５…ポンプ
６…液体注入用タンク
７…開閉弁
１１…第１絵柄
１２…第２絵柄
２１…操作レバー
２２…遊技球用上皿
【図１】
2017042368.tif 000003
【図２】
2017042368.tif 000004
【図３】
2017042368.tif 000005